(57)【特許請求の範囲】
【請求項１】
鉄道車両構体に、断面コの字形状のボルト吊下げ部を有する支持部材を設け、前記ボルト吊下げ部に、ガイドスリットを前記ボルト吊下げ部の長手方向に延在するように形成するとともに前記ガイドスリットを通じて支持ボルトのねじ軸部を垂下した状態で前記支持ボルトを前記ガイドスリット延在方向に位置調整可能に支持させ、前記支持ボルトを用いて各種車両艤装品を前記鉄道車両構体に取り付ける鉄道車両の車両艤装品取付構造であって、
前記ボルト吊下げ部には、前記ガイドスリットの幅よりも長いスライダ部材と、前記スライダ部材を介して垂下される前記支持ボルトとが設けられ、
前記支持ボルトが前記ガイドスリット延在方向およびそれに交差する方向に位置調整可能であり、
前記ボルト吊下げ部には、前記支持ボルトとともに前記スライダ部材を前記ボルト吊下げ部内に挿入可能である開口部を前記ボルト吊下げ部の側壁部に形成することを特徴とする鉄道車両の車両艤装品取付構造。
【請求項２】
鉄道車両構体に、断面コの字形状のボルト吊下げ部を有する支持部材を設け、前記ボルト吊下げ部に、ガイドスリットを前記ボルト吊下げ部の長手方向に延在するように形成するとともに前記ガイドスリットを通じて支持ボルトのねじ軸部を垂下した状態で前記支持ボルトを前記ガイドスリット延在方向に位置調整可能に支持させ、前記支持ボルトを用いて各種車両艤装品を前記鉄道車両構体に取り付ける鉄道車両の車両艤装品取付構造であって、
前記ボルト吊下げ部には、全ての辺の長さが前記ガイドスリットの幅よりも長いスライダ部材と、前記スライダ部材を介して垂下される前記支持ボルトとが設けられ、
前記支持ボルトが前記ガイドスリット延在方向およびそれに交差する方向に位置調整可能であり、
前記スライダ部材は、平面視２（ｎ＋１）角形状のブロックであり（ｎ＝１，２，・・・）、
前記支持ボルトは、前記支持ボルトの中心軸を前記スライダ部材の中心より偏心して固定され、
前記スライダ部材を前記支持ボルトとともに回転させることで、前記ガイドスリット延在方向に対し交差する方向に前記支持ボルトを位置調整可能である
鉄道車両の車両艤装品取付構造。
【請求項３】
鉄道車両構体に、断面コの字形状のボルト吊下げ部を有する支持部材を設け、前記ボルト吊下げ部に、ガイドスリットを前記ボルト吊下げ部の長手方向に延在するように形成するとともに前記ガイドスリットを通じて支持ボルトのねじ軸部を垂下した状態で前記支持ボルトを前記ガイドスリット延在方向に位置調整可能に支持させ、前記支持ボルトを用いて各種車両艤装品を前記鉄道車両構体に取り付ける鉄道車両の車両艤装品取付構造であって、
前記ボルト吊下げ部には、前記ガイドスリットの幅よりも長いスライダ部材と、前記スライダ部材を介して垂下される前記支持ボルトとが設けられ、
前記支持ボルトが前記ガイドスリット延在方向およびそれに交差する方向に位置調整可能であり、
前記スライダ部材は、前記ガイドスリット延在方向に対し交差する方向に延在し前記支持ボルトの頭部が移動可能に係合する係合凹部を有し、
前記係合凹部内には、前記支持ボルトの位置を前記ガイドスリット延在方向に交差する方向に移動可能とする第１の長穴を形成している鉄道車両の車両艤装品取付構造。
【請求項４】
鉄道車両構体に、断面コの字形状のボルト吊下げ部を有する支持部材を設け、前記ボルト吊下げ部に、ガイドスリットを前記ボルト吊下げ部の長手方向に延在するように形成するとともに前記ガイドスリットを通じて支持ボルトのねじ軸部を垂下した状態で前記支持ボルトを前記ガイドスリット延在方向に位置調整可能に支持させ、前記支持ボルトを用いて各種車両艤装品を前記鉄道車両構体に取り付ける鉄道車両の車両艤装品取付構造であって、
前記ボルト吊下げ部には、前記ガイドスリットの幅よりも長いスライダ部材と、前記スライダ部材を介して垂下される前記支持ボルトとが設けられ、
前記支持ボルトが前記ガイドスリット延在方向およびそれに交差する方向に位置調整可能であり、
前記スライダ部材は、板材を折り曲げて形成したもので、第２の長穴が形成された基板部と、前記基板部に設けられ前記支持ボルトの頭部を前記ガイドスリット延在方向に対し交差する方向に移動可能に両側から挟む１対の支持部とを備え、
前記スライダ部材を前記支持ボルトとともに前記ボルト吊下げ部に設けた状態で、前記支持部及び前記第２の長穴が前記ガイドスリット延在方向に交差する方向に延びる鉄道車両の車両艤装品取付構造。
【請求項５】
前記支持部は、前記基板部の、前記ガイドスリット延在方向に交差する方向の中央部位に形成されている請求項４記載の鉄道車両の車両艤装品取付構造。
【請求項６】
前記スライダ部材は、プラスチックあるいはゴム製で、前記支持ボルトのねじ軸部が貫通する部分にはカラーが設けられている請求項１または３記載の鉄道車両の車両艤装品取付構造。
【請求項７】
前記ボルト吊下げ部には、前記ガイドスリットに繋がり、前記支持ボルトとともに前記スライダ部材を前記ボルト吊下げ部内に挿入可能である開口部を有する請求項２〜６のいずれか１つに記載の鉄道車両の車両艤装品取付構造。
【請求項８】
前記支持部材は、前記鉄道車両構体と一体に形成され、前記ボルト吊り下げ部は、前記鉄道車両構体の一部を構成している請求項１〜７のいずれか１つに記載の鉄道車両の車両艤装品取付構造。
【発明の詳細な説明】
【技術分野】
【０００１】
本発明は、車両内装品や床下機器などの車両艤装品を取り付ける鉄道車両の車両艤装品取付構造に関する。
【背景技術】
【０００２】
鉄道車両の車両構体の内側、たとえば屋根構体の内側には、空調機器、空調ダクト、蛍光灯、吊手棒、側天井などの車両内装品（車両艤装品）が取り付けられている。
【０００３】
鉄道車両（客車）は、例えば、平面視で幅略３ｍ×長さ略２０ｍの広い室内空間を有し、上記車両内装品は広い範囲で見渡すことができるため、全てを見た目よく取り付けることが要求される。とくに、天井に取り付けられる車両内装品は、乗客に対する美感に大きな影響を与えるので、同形状の車両内装品を車両前後方向において規則的に（たとえば連続して繰り返し）取り付ける場合には、それら全てを精度よく取り付け、全体として見栄えよく見えるように取り付けなければならない。
【０００４】
一方、鉄道車両の構体はステンレス鋼（ＳＵＳ）の薄板を組み合わせて溶接組立したり、アルミの形材や板材を溶接組立で構成するのが一般的である。そのような構体は主として溶接を用いて製作されることから、構体自体を精度よく製作するのは難しく、通常は公差の範囲内に収まるように製作される。
【０００５】
具体的には、各種車両内装品を取り付ける場合には、それぞれについての専用の取付金具が用いられ、そのような取付金具が、車両構体（たとえば屋根構体）に溶接やボルト締結などで取り付けることが多いが、取付金具には車両内装品を支持させるために必要な剛性が求められるため、取付金具を単体で構成する場合には上記公差を吸収する調整機構を持たせることが難しい。
【０００６】
そこで、従来は、前述したような車両内装品を見栄えよく取り付けるには前記公差を吸収できるよう取付金具と車両内装品との間に塩化ビニル製のライナーなどの調整スペーサを設け、構体の完成に応じて調整スペーサの厚みなどを適宜変更しながら，見栄えよく仕上がるよう車両内装品を取り付けている。
【０００７】
しかし、車両内装品それぞれに取付金具が必要な構造であるため、その調整はそれぞれについて実施する必要がある。そのため、この調整作業には非常に時間がかかっていた上、調整には熟練を要し、作業者によってできあがりにばらつきが生じる場合もある。
【０００８】
これに対して、吊り溝などを利用して、吊り溝の延びる方向についての取付位置の調整ができるものが提案されている（例えば特許文献１，２参照）。
【先行技術文献】
【特許文献】
【０００９】
【特許文献１】特開平７−１７２３０６号公報
【特許文献２】特開２０１０−２０３１６５号公報
【発明の概要】
【発明が解決しようとする課題】
【００１０】
しかし、特許文献１のものは、艤装品の固定位置を車体長手方向のみならず，車体長手方向に交差する方向にも調整可能とされているが、この構造はろう付アルミハニカムパネルによる構体のものに限定され，一般的な構造のものには適用できない。また特許文献２の構造は、太陽電池モジュールシステムに関するもので、吊り溝の長手方向における取付位置作業を容易にすることができるが、前記長手方向に交差する方向（例えば長手方向に直交する幅方向）については調整することはできない。
【００１１】
本発明は、車両艤装品の取付作業の容易性を確保して、吊り溝（ガイドスリット）の延在する方向に加えて、吊り溝の延在する方向と交差する方向の取付位置の調整が簡単に行える鉄道車両の艤装品取付構造を提供することを目的とする。
【課題を解決するための手段】
【００１２】
請求項１の発明は、鉄道車両構体に、断面コの字形状のボルト吊下げ部を有する支持部材を設け、前記ボルト吊下げ部に、ガイドスリットを前記ボルト吊下げ部の長手方向に延在するように形成するとともに前記ガイドスリットを通じて支持ボルトのねじ軸部を垂下した状態で前記支持ボルトを前記ガイドスリット延在方向に位置調整可能に支持させ、前記支持ボルトを用いて各種車両艤装品を前記鉄道車両構体に取り付ける鉄道車両の車両艤装品取付構造であって、前記ボルト吊下げ部には、前記ガイドスリットの幅よりも長いスライダ部材と、前記スライダ部材を介して垂下される支持ボルトとが設けられ、前記支持ボルトが前記ガイドスリット延在方向およびそれに交差する方向に位置調整可能である、ことを特徴とする。
【００１３】
このようにすれば、前記ボルト吊下げ部に前記スライダ部材を介して垂下される支持ボルトが、前記ボルト吊り下げ部のガイドスリット延在方向およびそれに交差する方向に位置調整可能であるので、支持ボルトの取付位置をガイドスリット延在方向だけでなく、前記ガイドスリット延在方向に対し交差する方向（例えばボルト吊下げ部の幅方向）に対しても調整することができる。よって車両艤装品の取付けおよび調整作業が容易となる。
【００１４】
請求項２に記載のように、前記スライダ部材は、平面視２（ｎ＋１）角形状のブロックであり（ｎ＝１，２，・・・）、  前記支持ボルトは、前記支持ボルトの中心軸を前記スライダ部材の中心より偏心して固定され、前記スライダ部材を前記支持ボルトとともに回転させることで、前記ガイドスリット延在方向に対し交差する方向に前記支持ボルトを位置調整可能であることが望ましい。
【００１５】
このようにすれば、ボルト吊下げ部に対しスライダ部材を前記支持ボルトとともに回転することで、ガイドスリット延在方向に対し交差する方向に前記支持ボルトの位置を調整できるので、取付位置の調整作業が簡単である。
【００１６】
請求項３に記載のように、前記スライダ部材は、前記ガイドスリット延在方向に対し交差する方向に延在し前記支持ボルトの頭部が移動可能に係合する係合凹部を有し、前記係合凹部内には、前記支持ボルトの位置を前記ガイドスリット延在方向に交差する方向に移動可能とする第１の長穴を形成していることが望ましい。
【００１７】
このようにすれば、支持ボルトの位置を前記ガイドスリット延在方向に交差する方向において無段階に調整することができる。
【００１８】
請求項４に記載のように、前記スライダ部材は、板材を折り曲げて形成したもので、第２の長穴が形成された基板部と、前記基板部に設けられ前記支持ボルトの頭部を前記ガイドスリット延在方向に対し交差する方向に移動可能に両側から挟む１対の支持部とを備え、前記スライダ部材を前記支持ボルトとともに前記ボルト吊下げ部に設けた状態で、前記支持部及び前記第２の長穴が前記ガイドスリット延在方向に交差する方向に延びる構成とすることができる。
【００１９】
このようにすれば、スライダ部材を、板材を折り曲げて形成することができるので、スライダ部材の軽量化が図れる。
【００２０】
この場合、請求項５に記載のように、前記支持部は、前記基板部の、前記ガイドスリット延在方向に交差する方向の中央部位に形成されている、構成とすることもできる。
【００２１】
このようにすれば、スライダ部材の構造の簡単化が図れ、より軽量化が図れる。
【００２２】
請求項６に記載のように、前記スライダ部材は、プラスチックあるいはゴム製で、前記支持ボルトのねじ軸部が貫通する部分にはカラーが設けられている構成とすることもできる。
【００２３】
このようにすれば、スライダ部材の加工が容易で、軽量化にも有利である。
【００２４】
請求項７に記載のように、前記ボルト吊下げ部には、前記ガイドスリットに繋がり、前記支持ボルトとともに前記スライダ部材を前記ボルト吊下げ部内に挿入可能である開口部を有する構成とすることもできる。
【００２５】
このようにすれば、開口部を通じてスライダ部材を挿入することで、スライダ部材を簡単に取り付けることができる。また、開口部を複数個とすれば、どの開口部を通じても取り付けたり取り外したりすることができるようになり、作業性が向上する。
【００２６】
請求項８に記載のように、前記支持部材は、鉄道車両構体と一体に形成されている、構成とすることも可能である。
【００２７】
このようにすれば、ボルト吊下げ部を有する支持部材を車両構体と一緒に形成することができ、支持部材を取り付ける必要がなくなる。
【発明の効果】
【００２８】
本発明は、支持部材のボルト吊下げ部にスライダ部材を介して垂下される支持ボルトが、前記ボルト吊り下げ部のガイドスリット延在方向およびそれに交差する方向に位置調整可能であるので、支持ボルトの取付位置をガイドスリット延在方向だけでなく、前記ガイドスリット延在方向に対し交差する方向（例えば前記ボルト吊り下げ部の幅方向）に対しても調整することができる。よって車両艤装品の取付作業の容易性を確保して、調整範囲を広くすることができる。
【図面の簡単な説明】
【００２９】
【図１】本発明の実施の形態である鉄道車両の車両内装品（車両艤装品）の取付構造を示す概略構成図である。
【図２】（ａ）は支持ボルトが固定されたスライダ部材の平面図、（ｂ）は支持部材とスライダ部材との関係を示す平面図、（ｃ）は同断面図である。
【図３】スライダ部材の他の例を示し、（ａ）は支持部材とスライダ部材との関係を示す斜視図、（ｂ）は同断面図、（ｃ）はスライダ部材の平面図である。
【図４】スライダ部材のさらに他の例を示し、（ａ）はスライダ部材と支持ボルトとの関係を示す斜視図、（ｂ）〜（ｄ）はスライダ部材の変形例の要部詳細図である。
【図５】図４に示すスライダ部材の変形例を示し、（ａ）は平面図、（ｂ）は側面図である。
【図６】スライダ部材の別の例を示し、（ａ）は平面図、（ｂ）は斜視図、（ｃ）は前記スライダ部材に用いられる支持ボルトとカラーとの関係を示す図である。
【図７】スライダ部材の別の例を示し、（ａ）はスライダ部材の回転前の平面図、（ｂ）はスライダ部材の回転後の平面図である。
【図８】スライダ部材のさらに別の例を示し、（ａ）はスライダ部材の回転前の平面図、（ｂ）はスライダ部材の回転後の平面図である。
【図９】（ａ）〜（ｅ）はそれぞれ支持部材の説明図である。
【発明を実施するための形態】
【００３０】
以下、本発明の実施の形態を図面に沿って説明する。
【００３１】
図１は本発明の実施の形態である鉄道車両の車両内装品（車両艤装品）の取付構造の一例を示す概略構成図であり、この図１に示すように、鉄道車両構体である屋根構体１は、屋根外板２と、車両左右方向に延びる垂木３と、この垂木３の間に車両前後方向に延びる縦桁（図示せず）と、垂木３の車室内側に車両前後方向に延びる内装部品受け４とを備える。
【００３２】
そして、車両内装品（車両艤装品）である空調ダクト５は、左右側部の取付ブラケット６を有し、その取付ブラケット６それぞれが、屋根構体１に取り付けられ車両前後方向に延びる支持部材１１に対し、支持ボルト１２，スペーサ１４及びナット１５を用いて車両前後方向及び車両左右方向に取付位置調整可能に取り付けられている。支持部材１１は、断面コの字形状のボルト吊下げ部１１Ａを有し、このボルト吊下げ部１１Ａを利用して空調ダクト５を取り付けるようになっている。いわゆる吊り溝構造である。なお、この実施の形態では、車両内装品である灯具７および側天井８は、２つの取付金具９Ａ，９Ｂを介して、屋根構体１に対して取り付けられるが、空調ダクト５と同様の吊り溝構造でもって取り付けることも可能である。
【００３３】
続いて、支持部材１１に対し空調ダクト５を取り付けるために、それの取付ブラケット６を車両前後方向及び車両左右方向に取付位置調整可能に取り付ける構造について説明する。
【００３４】
図２（ａ）（ｂ）（ｃ）に示すように、支持部材１１に対し車両前後方向及び車両左右方向に取付位置調整可能に取り付けるために、支持ボルト１２と、平面視正方形状のブロックであるスライダ部材１３が利用される。
【００３５】
支持部材１１は、断面コ字形状のボルト吊下げ部１１Ａと、このボルト吊下げ部１１Ａの左右両側縁より互いに反対方向に延びる取付フランジ部１１Ｂ，１１Ｂとを有し（図９（ａ）参照）、取付フランジ部１１Ｂ，１１Ｂの部位で屋根構体１に取り付けられている。そして、ボルト吊下げ部１１Ａの内方が、スライダ部材１３の幅（前記正方形の一辺の長さ）に等しい幅を有するので（つまりボルト吊下げ部１１Ａの左右側壁間の間隔がスライダ部材１３の幅に等しいので）、スライダ部材１３がボルト吊下げ部１１Ａ内に挿入され設けられた状態では、スライダ部材１３がガイドスリット延在方向に沿ってスライド移動可能であるが、回転不能となっている。
【００３６】
このスライダ部材１３の中心（平面視）に対し支持ボルト１２の中心が任意の長さ偏心して固定されている。つまり、支持ボルト１２の頭部１２ａは、それの中心Ｐ１がスライダ部材１３の中心Ｐ２に対して任意量ａだけ偏心した状態で、溶接等により固定されている。支持ボルト１２の頭部１２ａがスライダ部材１３上に位置するように、ねじ軸部１２ｂの下部がスライダ部材１３の貫通穴１３ａを通じて下方に突出し、その突出したねじ軸部１２ｂを利用して取付ブラケット６がねじ締結されるものである。
【００３７】
ボルト吊下げ部１１Ａには、スライダ部材１３を長手方向に沿ってスライド移動させる際に支持ボルト１２のねじ軸部１２ｂの移動を許容するがスライダ部材１３の落下を防止する幅のガイドスリット１１Ａａがガイドスリット延在方向に沿って形成されている。つまり、スライダ部材１３は、ボルト吊下げ部１１Ａの幅に等しい幅で、ガイドスリット１１Ａａの幅よりも広い幅となっており、これにより、スライダ部材１３がボルト吊下げ部１１Ａ内にガイドスリット延在方向に移動可能に設けられた状態で、ガイドスリット１１Ａａを貫通して支持ボルト１２のねじ軸部１２ｂが垂れ下がる状態となり、支持ボルト１２の取付位置がガイドスリット延在方向において調整可能となる。また、ガイドスリット１１Ａａの端部には、スライダ部材１３全体をボルト吊下げ部１１Ａ内に挿入するのを許容する大きさの開口部１１Ａｂも形成されている。
【００３８】
このようにすれば、開口部１１Ａｂを通じてスライダ部材１３を挿入してボルト吊下げ部１１Ａ内に設ける前に、スライダ部材１３を支持ボルト１２とともに予め回転させてその向きを調整することで、ボルト吊下げ部１１Ａの幅方向において、調整量２ａの範囲で取付位置を調整することができる。つまり、支持ボルト１２の頭部１２ａの中心が支持部材１１の中心に一致する位置、前記一致する位置から右側に長さａだけ頭部１２ａの中心が偏心した位置、前記一致する位置から左側に長さａだけ頭部１２ａの中心が偏心した位置を取り得る。よって、ガイドスリット１１Ａａの幅も、支持ボルト１２の取付位置を、支持部材幅方向（ボルト吊下げ部幅方向）において調整量２ａの範囲で調整ができる幅となっている。
【００３９】
この支持部材幅方向における支持ボルト１２の位置を調整（回転）してボルト吊下げ部１１Ａ内にスライダ部材１３を取り付けた後、スライダ部材１３をガイドスリット延在方向に移動させて、ガイドスリット延在方向における支持ボルト１２の位置が調整される。この場合、ガイドスリット１１Ａａの中間部位にも、ガイドスリット１１Ａａに繋がる複数の開口部１１Ａｂを設けておけば、その開口部で支持部材幅方向における位置の調整の変更も適宜することができ、取付位置の調整も簡単にできる。
【００４０】
ここでは、図９（ａ）に示す支持部材を用いて説明しているが、図９（ｂ）（ｃ）で示す形状の支持部材１１Ａ’，１１Ａ”を用いれば、スライダ部材１３をボルト吊下げ部内に挿入した状態であっても、その位置で支持ボルト１２をつまみ上げれば、回転することが可能となる。したがって，予め回転させる必要もないし、再調整の際に開口部１１Ａｂまで移動させ、取り外す必要もなくなる。
【００４１】
また、開口部１１Ａｂを、図２（ｂ）に示すように、ボルト吊下げ部１１Ａの下面に形成するのではなく、図３（ａ）に示すように、ボルト吊下げ部１１Ａの側壁部に形成することもできる。詳しくは、ボルト吊下げ部の側壁部にスライダ部材を挿入可能な切り欠きを形成し、それに続く支持ボルト軸径相当の切り欠きを設け、ガイドスリットに繋げばよい。このようにすれば、ボルト吊下げ部全長に亘ってスライダ部材が脱落する箇所がなくなるので、ボルト吊下げ部下面に開口部１１Ａｂを形成する場合に懸念される、艤装作業中に誤ってスライダ部材１３を落下させるということは生じない。よって、安全面でも有効である。
【００４２】
このような、ガイドスリット延在方向及び支持部材幅方向についての位置調整が終了した後、支持ボルト１２のねじ軸部１２ｂの突出部分を利用して、スペーサ１４，ナット１５などを用いて締結すると、取付ブラケット６を介して空調ダクト５（車両艤装品）が屋根構体１（鉄道車両構体）の目標位置に固定されるとともに、その締結により支持ボルト１２もその位置に固定されることになる。
【００４３】
ここで、前記スライダ部材は平面視正方形状である必要はなく、平面視２（ｎ＋１）角形状（ｎ＝１，２，・・・）としても同様の効果が発揮され、その角数が増えるに従い支持部材幅方向における調整量のパターンを増やすことができる。
【００４４】
また、図３（ａ）〜（ｃ）に示すように、スライダ部材２３に支持ボルト１２の頭部１２ａを固定せずに、一定方向（例えばボルト吊下げ部１１Ａ（支持部材１１）に取り付けた状態でガイドスリット延在方向に直交する方向）に移動可能であるが回転不能となるように、スライダ部材２３に支持ボルト１２の頭部１２ａを設ける構成とすることも可能である。
【００４５】
具体的には、スライダ部材２３は、ボルト吊下げ部１１Ａの内方幅Ｗにほぼ等しい幅を有するブロック状で、その幅方向に支持ボルト１２の頭部１２ａが移動可能に係合する溝状の係合凹部２３ａが形成され、支持ボルト１２を回転不能とするために係合凹部２３ａの幅は頭部１２ａの２面間の幅と等しくなっている。そして、係合凹部２３ａ内に支持ボルト１２のねじ軸部１２ｂが貫通する長穴２３ｂ（第１の長穴）が形成されている。その係合凹部２３ａ及び長穴２３ｂは、スライダ部材２３がボルト吊下げ部１１Ａに取り付けられた状態では、スライダ部材２３の移動方向であるガイドスリット延在方向に直交する支持部材幅方向に延びることとなり、頭部１２ａを係合凹部２３ａ内で移動させることで支持ボルト１２の位置を支持部材幅方向において調整することができる。なお、係合凹部２３ａの幅を調整することで、支持部材幅方向のスライド性能、つまり頭部１２ａの保持力（接触圧）を調整することができる。
【００４６】
なお、係合凹部は、図３（ａ）〜（ｃ）に示すように、スライダ部材２３の端部まで延びている溝状とする必要はなく、ガイドスリットの幅と同じ長さを有しておれば、端部は閉塞されていてもよい。
【００４７】
さらに、スライダ部材３３を、軽量化のために、板材（例えばＳＵＳ、板厚０．５ｍｍ〜０．６ｍｍ）を折り曲げて形成することも可能である。
【００４８】
この場合には，図４（ａ）に示すように、スライダ部材３３は、支持ボルト（例えば六角ボルト）１２の頭部１２ａを移動可能に両側から弾性的に挟み且つ、その間を移動できるようにした１対の支持部３３Ａ，３３Ａと、これら支持部３３Ａ，３３Ａを支持する基板部３３Ｂとを有する構成とすればよい。両支持部３３Ａ，３３Ａの間隔は支持ボルト１２の頭部１２ａを押し付けながらも、後述する長穴の長手方向に沿って移動可能に調整されている。したがって、支持部の形状を工夫することで、頭部１２ａに対する押し付け力を簡単に調整できる。また、基板部３３Ｂに支持部３３Ａが延びる方向に沿って延び支持ボルト１２のねじ軸部１２ｂが移動可能に貫通する長穴３３Ｂａ（第２の長穴）が形成されている。このような支持部３３Ａ及び長穴３３Ｂａは、スライダ部材３３をボルト吊下げ部１１Ａ内に挿入して垂下するように設けた状態で、ガイドスリット延在方向に直交する方向（支持部材幅方向）に延びている。この場合、図４（ｂ）に示すように、支持部３３Ａを長穴３３Ｂａに対応する長さとし、基板部３３Ｂの端縁を支持部３３Ａが設けられている側に折り曲げて折り曲げ部３３Ｃを形成することで、その折り曲げ部３３Ｃをボルト吊下げ部１１Ａの左右側壁に弾性的に接触させ、弾性力を調整してずれ止め防止を図ることもできるし、図４（ｃ）に示すように、鉛直方向に折り曲げた折り曲げ部３３Ｄの先端部分に外側に湾曲する微小湾曲部３３Ｄａを形成して、同様の効果を期待することも可能である。また、図４（ｄ）に示すように、製作が容易となるように、支持部３３Ｅを、くの字形状に折り曲げた屈曲形状とし、支持部３３Ｅが支持ボルト１２の頭部１２ａに弾性的に線接触するようにし、同様にずれ防止を図ることもできる。
【００４９】
また、図５（ａ）（ｂ）に示すスライダ部材３３”のように、支持部３３Ａ’は、基板部３３Ｂ’の幅方向中央部位にのみ形成されているようにすることも可能である。この場合も、微小湾曲部３３Ｄａ’を有しボルト吊下げ部１１Ａの左右側壁に弾性的に接触させてずれ止め防止を図る折り曲げ部３３Ｄ’、支持ボルト１２の頭部１２ａを弾性的に保持するように内側に折り曲げた折り曲げ部３３Ａ’や、基板部３３Ｂの平面度を保持するための折り曲げ部３３Ｆを形成することもできる。
【００５０】
さらに、図６（ａ）（ｂ）に示すように、長穴４３ａを有するスライダ部材４３を、プラスチック製あるいはゴム製とすることも可能である（基本形状はスライダ部材２３と同じ）。この場合、図６（ｃ）に示すように、長穴４３ａ内に挿入される、支持ボルト１２のねじ軸部１２ｂの周囲には保護カラー４４（例えば金属製パイプ）が設けられ、ねじの締結を確実に行うことができる。なお、保護カラー４４の内径はねじ軸部１２ｂの外径より大きく、長穴４３ａの幅は保護カラー４４の外径より大きくなっている。
【００５１】
前記実施の形態のほか、本発明は、次のように変更して実施することができる。
【００５２】
(i)前記実施の形態では、支持部材１１は、スライダ部材１３をボルト吊下げ部１１Ａ（支持部材１１）内にボルト吊下げ部下面側から挿入できるように挿入するために開口部１１Ａｂをガイドスリット１１Ａａの端部に１つ設けるようにしているが、このような開口部をガイドスリットの中間部分において複数位置に設けることができるのはもちろん、ガイドスリットは一端部あるいは両端部が開放された形状とし、支持部材の端部からスライダ部材を挿入することができるようにして、前述したような開口部を省略することも可能である。また、例えば図７（ａ）（ｂ）に示すように、係合凹部５１ａ及び長穴５１ｂ（第１の長穴）を有しガイドスリット１１Ａａの幅より小さい幅のスライダ部材５１を、ガイドスリット１１Ａａを通じてそのまま挿入し、挿入した後に回転することでガイドスリット１１Ａａから抜け落ちないようにすることで、前述したような開口部を省略することも可能である。
【００５３】
(ii)前記実施の形態では、支持ボルト１２の頭部１２ａを支持部材幅方向に移動させて、支持部材幅方向の位置を調整するようにしているが、支持部材幅方向の調整は必ずしもそのようにする必要はなく、ガイドスリット延在方向に対し傾斜（交差）する方向に支持ボルト１２の位置を調整可能とすることで支持部材幅方向の調整を可能としてもよい。
【００５４】
例えば、図８（ａ）（ｂ）に示すように、係合凹部５２ａ及び長穴５２ｂ（第１の長穴）を有するスライダ部材５２を用いれば、ボルト吊下げ部１１Ａ内に取り付けた状態で、係合凹部５２ａ及び長穴５２ｂが、ガイドスリット延在方向に直交する方向ではなく、傾斜（交差）する方向に延びるので、支持ボルト１２を、ガイドスリット延在方向に直交する方向ではなく、傾斜（交差）する方向に沿って移動させることで、支持部材幅方向の位置が調整されるようにすることができる。ただし、この調整の場合には支持部材幅方向の調整にともない、支持ボルト１２のガイドスリット延在方向の位置も変化することになるので、その点を考慮して調整する必要がある。
【００５５】
(iii)前記実施の形態では、支持部材１１は、図９（ａ）に示すように、ボルト吊下げ部１１Ａの左右側壁が鉛直方向に延びるようにしているが、図９（ｂ）に示すように左右側壁が傾斜したボルト吊下げ部１１Ａ’としたり、図９（ｃ）に示すように、段部を有するボルト吊下げ部１１Ａ”としてもよいのはもちろんである。
【００５６】
また、支持部材は鉄道車両構体とは別体とする必要はなく、例えばアルミ構体である場合には、ボルト吊下げ部が一体成型された押し出し形材を用いる構体に対しても適用可能であるし、吊り溝構造を一体に備えた構体についても、車両構体に形成される吊り溝構造をボルト吊下げ部として利用することもできるのはもちろんである。例えば、図９（ｄ）に示すように、構体から突出する支持部材１１’としたり、図９（ｅ）に示すように、構体内に収納される支持部材１１”とすることもできる。
【００５７】
(iv)前記実施の形態では、鉄道車両艤装品として車両内装品について説明しているが、支持部材や支持ボルトの材質などを変更することで、重量が重い床下機器（鉄道車両艤装品）の取付構造についても適用可能である。
【符号の説明】
【００５８】
１    屋根構体（鉄道車両構体）
２    屋根外板
３    垂木
４    内装部品受け
５    空調ダクト（車両艤装品）
６    取付ブラケット
７    灯具
８    側天井
９Ａ，９Ｂ    取付金具
１１，１１’，１１”    支持部材
１１Ａ，１１Ａ’，１１Ａ”    ボルト吊下げ部
１１Ａａ    ガイドスリット
１１Ａｂ    開口部
１１Ｂ    取付フランジ部
１２    支持ボルト
１２ａ    頭部
１２ｂ    ねじ軸部
１３    スライダ部材
１３ａ    貫通穴
１４    スペーサ
１５    ナット
２３    スライダ部材
２３ａ    係合凹部
２３ｂ    長穴（第１の長穴）
３３，３３’    スライダ部材
３３Ａ    支持部
３３Ｂ，３３Ｂ’    基板部
３３Ｂａ    長穴（第２の長穴）
３３Ｃ    折り曲げ部
３３Ｄ，３３Ｄ’    折り曲げ部
３３Ｄａ，３３Ｄａ’    微小湾曲部
３３Ｅ    支持部
３３Ｆ    折り曲げ部
４３    スライダ部材
４３ａ    長穴
４４    保護カラー
５１    スライダ部材
５１ａ    係合凹部
５１ｂ    長穴（第１の長穴）
５２    スライダ部材
５２ａ    係合凹部
５２ｂ    長穴（第１の長穴）
【図１】
0005859858.tif 000002
【図２】
0005859858.tif 000003
【図３】
0005859858.tif 000004
【図４】
0005859858.tif 000005
【図５】
0005859858.tif 000006
【図６】
0005859858.tif 000007
【図７】
0005859858.tif 000008
【図８】
0005859858.tif 000009
【図９】
0005859858.tif 000010